(57)【要約】【課題】現在表示されている第１の画像の表示を中断しても、その後、この中断された第１の画像を、手間をかけず素早く再表示できる画像処理システムを提供する。【解決手段】第１の画像の表示を中断して、第２の画像（原稿Ｓ）を投影させたい場合、原稿ＳをスキャニングによってＭＦＰ１に取り込む。ＭＦＰ１は、取り込んだ第２の画像をプロジェクタ３に表示させると共に、中断された第１の画像を特定する情報を記憶する。ＭＦＰ１は、第２の画像の表示を終了するとき、中断された第１の画像をプロジェクタ３に表示させる。【選択図】図４
2011039658.tif 000002
【特許請求の範囲】
【請求項１】
演算処理装置と、第１の画像を保持する画像形成装置と、表示装置とを備え、
上記演算処理装置と上記画像形成装置と上記表示装置とは、互いにネットワークを介して接続され、
上記演算処理装置は、上記第１の画像を上記表示装置に転送して、上記第１の画像を上記表示装置に表示させるように、上記画像形成装置に指示し、
上記画像形成装置は、上記表示装置に現在表示している上記第１の画像の表示が中断されたとき、この中断された第１の画像を特定する情報を記憶することを特徴とする画像処理システム。
【請求項２】
請求項１に記載の画像処理システムにおいて、
上記画像形成装置は、この画像形成装置に送られた第２の画像を上記表示装置に表示させるとき、上記表示装置に現在表示している上記第１の画像の表示を中断して、上記第２の画像を上記表示装置に表示させることを特徴とする画像処理システム。
【請求項３】
請求項２に記載の画像処理システムにおいて、
上記第２の画像は、スキャニングによって、上記画像形成装置に取り込まれることを特徴とする画像処理システム。
【請求項４】
請求項２または３に記載の画像処理システムにおいて、
上記第２の画像は、ファクシミリによって、上記画像形成装置に送られることを特徴とする画像処理システム。
【請求項５】
請求項２から４の何れか一つに記載の画像処理システムにおいて、
上記画像形成装置は、上記第２の画像の表示を終了するとき、上記中断された第１の画像を上記表示装置に表示させることを特徴とする画像処理システム。
【請求項６】
請求項２から５の何れか一つに記載の画像処理システムにおいて、
上記画像形成装置は、現在表示の上記第１の画像から上記第２の画像に表示を切り換えるときをトリガーとして、上記現在表示の第１の画像を特定する情報を記憶することを特徴とする画像処理システム。
【請求項７】
請求項２から６の何れか一つに記載の画像処理システムにおいて、
上記第１の画像は、複数あり、この複数の第１の画像は、順番に、上記表示装置に表示され、
上記画像形成装置は、この画像形成装置に送られた上記第２の画像を、上記複数の第１の画像のどの場所に挿入して表示させるかを選択させることを特徴とする画像処理システム。
【請求項８】
請求項７に記載の画像処理システムにおいて、
上記画像形成装置は、表示部を有し、
この表示部は、上記複数の第１の画像を表示し、上記第２の画像を、上記複数の第１の画像のどの場所に挿入して表示させるかを選択させることを特徴とする画像処理システム。
【請求項９】
請求項２から８の何れか一つに記載の画像処理システムにおいて、
上記画像形成装置は、全ての画像の表示を終了したとき、上記第２の画像および上記中断された第１の画像をファイルとして保持することを特徴とする画像処理システム。
【請求項１０】
請求項９に記載の画像処理システムにおいて、
上記画像形成装置は、上記ファイルを印刷するとき、上記第１の画像のみを印刷するか、上記第１の画像および上記第２の画像を印刷するかを、選択させることを特徴とする画像処理システム。
【請求項１１】
請求項２から１０の何れか一つに記載の画像処理システムにおいて、
上記画像形成装置は、この画像形成装置に上記第２の画像が送られたとき、上記第２の画像を上記表示装置に表示させると共に、上記第２の画像の印刷、および、上記第２の画像の上記演算処理装置への送信の少なくとも一方を行うことを特徴とする画像処理システム。
【請求項１２】
請求項２から４の何れか一つに記載の画像処理システムにおいて、
上記画像形成装置は、この画像形成装置に送られた第３の画像を上記表示装置に表示させるとき、上記表示装置に現在表示している上記第２の画像の表示を中断して、この中断された第２の画像を特定する情報を記憶すると共に上記第３の画像を上記表示装置に表示させ、さらに、この第３の画像の表示を終了するとき、上記中断された第１の画像および第２の画像を選択させて、この選択された画像を上記表示装置に表示させることを特徴とする画像処理システム。
【請求項１３】
請求項１２に記載の画像処理システムにおいて、
上記画像形成装置は、上記中断された第１の画像および第２の画像を、アイコンとして、上記表示装置に表示させ、この表示されたアイコンを選択させることを特徴とする画像処理システム。
【請求項１４】
請求項１２または１３に記載の画像処理システムにおいて、
上記画像形成装置は、表示部を有し、
この表示部は、上記中断された第１の画像および第２の画像を、アイコンとして、表示し、この表示されたアイコンを選択させることを特徴とする画像処理システム。
【請求項１５】
請求項１に記載の画像処理システムにおいて、
上記画像形成装置は、上記表示装置の電源が切られ、上記表示装置に現在表示している上記第１の画像の表示が中断されたとき、この中断された第１の画像を特定する情報を記憶することを特徴とする画像処理システム。
【請求項１６】
請求項１５に記載の画像処理システムにおいて、
上記画像形成装置は、上記表示装置の電源が再び入れられたとき、上記中断された第１の画像を上記表示装置に表示させることを特徴とする画像処理システム。
【発明の詳細な説明】
【技術分野】
【０００１】
この発明は、例えば、プレゼンテーションに用いられる画像処理システムに関する。
【背景技術】
【０００２】
従来、プレゼンテーションに用いられる画像処理システムとしては、すべての参加者に対して、切替操作を切り替えることができるようにしたシステム（特開２００３−８５１１２号公報：特許文献１参照）や、コンピュータ間でデータを変更、転送して表示させるシステム（特開２００１−３４３７７号公報：特許文献２参照）や、発表者用画面と聴衆用画面とを有し、予定した順序で表示するかを判断して変更があった場合には表示を入れ替えるシステム（特開平１０−２３２６５７号公報：特許文献３参照）や、送信元が無制限に切り替わることを防止するシステム（特開２００４−２４０８２５号公報：特許文献４参照）がある。
【０００３】
そして、プレゼンテーション中、現在表示されている画像の表示を中断して、他の資料を割り込ませて表示する場合、現在表示されている画像が含まれるファイルを一旦閉じてから、他の資料をスキャナーなどに取り込んで表示していた。他の資料の表示を終了した後、終了したファイルを再開し、このファイルから、中断された画像を探す必要があった。
【０００４】
また、プレゼンテーションを時間切れで中断する場合、現在表示されている画像が含まれるファイルを閉じていた。そして、別の場所または別の時間に、プレゼンテーションを再開するとき、終了したファイルを再開し、このファイルから、中断された画像を探す必要があった。
【先行技術文献】
【特許文献】
【０００５】
【特許文献１】特開２００３−８５１１２号公報
【特許文献２】特開２００１−３４３７７号公報
【特許文献３】特開平１０−２３２６５７号公報
【特許文献４】特開２００４−２４０８２５号公報
【発明の概要】
【発明が解決しようとする課題】
【０００６】
しかしながら、上記従来の画像処理システムでは、中断された画像を再開するとき、終了したファイルを再開し、このファイルから、中断された画像を探す必要があったので、中断された画像の再表示に、手間や時間がかかる問題があった。
【０００７】
そこで、この発明の課題は、現在表示されている第１の画像の表示を中断しても、その後、この中断された第１の画像を、手間をかけず素早く再表示できる画像処理システムを提供することにある。
【課題を解決するための手段】
【０００８】
上記課題を解決するため、この発明の画像処理システムは、
演算処理装置と、第１の画像を保持する画像形成装置と、表示装置とを備え、
上記演算処理装置と上記画像形成装置と上記表示装置とは、互いにネットワークを介して接続され、
上記演算処理装置は、上記第１の画像を上記表示装置に転送して、上記第１の画像を上記表示装置に表示させるように、上記画像形成装置に指示し、
上記画像形成装置は、上記表示装置に現在表示している上記第１の画像の表示が中断されたとき、この中断された第１の画像を特定する情報を記憶することを特徴としている。
【０００９】
この発明の画像処理システムによれば、上記画像形成装置は、上記表示装置に表示している上記第１の画像の表示が中断されたとき、この中断された第１の画像を特定する情報を記憶するので、例えば、プレゼンテーション中、現在表示されている第１の画像の表示を中断して、第２の画像を割り込ませて表示する場合、中断された第１の画像を特定する情報は、画像形成装置に記憶される。そして、第２の画像の表示を終了した後、中断された第１の画像に、手間をかけず素早く戻ることができる。
【００１０】
また、プレゼンテーションを時間切れで中断する場合、現在表示され中断される第１の画像を特定する情報は、画像形成装置に記憶される。そして、別の場所または別の時間に、プレゼンテーションを再開するとき、中断された第１の画像に、手間をかけず素早く戻ることができる。
【００１１】
したがって、現在表示されている第１の画像の表示を中断しても、その後、この中断された第１の画像を、手間をかけず素早く再表示できる。
【００１２】
また、一実施形態の画像処理システムでは、上記画像形成装置は、この画像形成装置に送られた第２の画像を上記表示装置に表示させるとき、上記表示装置に現在表示している上記第１の画像の表示を中断して、上記第２の画像を上記表示装置に表示させる。
【００１３】
この実施形態の画像処理システムによれば、上記画像形成装置は、この画像形成装置に送られた第２の画像を上記表示装置に表示させるとき、上記表示装置に表示している上記第１の画像の表示を中断して、上記第２の画像を上記表示装置に表示させるので、例えば、プレゼンテーション中、現在表示されている第１の画像の表示を中断して、第２の画像を割り込ませて表示できる。
【００１４】
また、一実施形態の画像処理システムでは、上記第２の画像は、スキャニングによって、上記画像形成装置に取り込まれる。
【００１５】
この実施形態の画像処理システムによれば、上記第２の画像は、スキャニングによって、上記画像形成装置に取り込まれるので、容易に第２の画像を表示できる。
【００１６】
また、一実施形態の画像処理システムでは、上記第２の画像は、ファクシミリによって、上記画像形成装置に送られる。
【００１７】
この実施形態の画像処理システムによれば、上記第２の画像は、ファクシミリによって、上記画像形成装置に送られるので、容易に第２の画像を表示できる。
【００１８】
また、一実施形態の画像処理システムでは、上記画像形成装置は、上記第２の画像の表示を終了するとき、上記中断された第１の画像を上記表示装置に表示させる。
【００１９】
この実施形態の画像処理システムによれば、上記画像形成装置は、上記第２の画像の表示を終了するとき、上記中断された第１の画像を上記表示装置に表示させるので、第２の画像の表示の終了時に、それまでに表示された元の第１の画像に復帰できる。
【００２０】
また、一実施形態の画像処理システムでは、上記画像形成装置は、現在表示の上記第１の画像から上記第２の画像に表示を切り換えるときをトリガーとして、上記現在表示の第１の画像を特定する情報を記憶する。
【００２１】
この実施形態の画像処理システムによれば、上記画像形成装置は、現在表示の上記第１の画像から上記第２の画像に表示を切り換えるときをトリガーとして、上記現在表示の第１の画像を特定する情報を記憶するので、第１の画像の記憶のタイミングがよい。
【００２２】
また、一実施形態の画像処理システムでは、
上記第１の画像は、複数あり、この複数の第１の画像は、順番に、上記表示装置に表示され、
上記画像形成装置は、この画像形成装置に送られた上記第２の画像を、上記複数の第１の画像のどの場所に挿入して表示させるかを選択させる。
【００２３】
この実施形態の画像処理システムによれば、上記画像形成装置は、この画像形成装置に送られた上記第２の画像を、上記複数の第１の画像のどの場所に挿入して表示させるかを選択させるので、第２の画像の表示の順番を調整できる。
【００２４】
また、一実施形態の画像処理システムでは、
上記画像形成装置は、表示部を有し、
この表示部は、上記複数の第１の画像を表示し、上記第２の画像を、上記複数の第１の画像のどの場所に挿入して表示させるかを選択させる。
【００２５】
この実施形態の画像処理システムによれば、上記画像形成装置の表示部は、上記複数の第１の画像を表示し、上記第２の画像を、上記複数の第１の画像のどの場所に挿入して表示させるかを選択させるので、第２の画像の表示の順番を簡単に調整できる。
【００２６】
また、一実施形態の画像処理システムでは、上記画像形成装置は、全ての画像の表示を終了したとき、上記第２の画像および上記中断された第１の画像をファイルとして保持する。
【００２７】
この実施形態の画像処理システムによれば、上記画像形成装置は、全ての画像の表示を終了したとき、上記第２の画像および上記中断された第１の画像をファイルとして保持するので、いつでも画像を確認できる。
【００２８】
また、一実施形態の画像処理システムでは、上記画像形成装置は、上記ファイルを印刷するとき、上記第１の画像のみを印刷するか、上記第１の画像および上記第２の画像を印刷するかを、選択させる。
【００２９】
この実施形態の画像処理システムによれば、上記画像形成装置は、上記ファイルを印刷するとき、上記第１の画像のみを印刷するか、上記第１の画像および上記第２の画像を印刷するかを、選択させるので、所望の画像を容易に印刷できる。
【００３０】
また、一実施形態の画像処理システムでは、上記画像形成装置は、この画像形成装置に上記第２の画像が送られたとき、上記第２の画像を上記表示装置に表示させると共に、上記第２の画像の印刷、および、上記第２の画像の上記演算処理装置への送信の少なくとも一方を行う。
【００３１】
この実施形態の画像処理システムによれば、上記画像形成装置は、この画像形成装置に上記第２の画像が送られたとき、上記第２の画像を上記表示装置に表示させると共に、上記第２の画像の印刷、および、上記第２の画像の上記演算処理装置への送信の少なくとも一方を行うので、プレゼンテーションを円滑に進めることができる。
【００３２】
また、一実施形態の画像処理システムでは、上記画像形成装置は、この画像形成装置に送られた第３の画像を上記表示装置に表示させるとき、上記表示装置に現在表示している上記第２の画像の表示を中断して、この中断された第２の画像を特定する情報を記憶すると共に上記第３の画像を上記表示装置に表示させ、さらに、この第３の画像の表示を終了するとき、上記中断された第１の画像および第２の画像を選択させて、この選択された画像を上記表示装置に表示させる。
【００３３】
この実施形態の画像処理システムによれば、上記画像形成装置は、上記第３の画像の表示を終了するとき、上記中断された第１の画像および第２の画像を選択させて、この選択された画像を上記表示装置に表示させるので、中断した複数の画像を選択できる。
【００３４】
また、一実施形態の画像処理システムでは、上記画像形成装置は、上記中断された第１の画像および第２の画像を、アイコンとして、上記表示装置に表示させ、この表示されたアイコンを選択させる。
【００３５】
この実施形態の画像処理システムによれば、上記画像形成装置は、上記中断された第１の画像および第２の画像を、アイコンとして、上記表示装置に表示させ、この表示されたアイコンを選択させるので、中断した複数の画像を簡単に選択できる。
【００３６】
また、一実施形態の画像処理システムでは、
上記画像形成装置は、表示部を有し、
この表示部は、上記中断された第１の画像および第２の画像を、アイコンとして、表示し、この表示されたアイコンを選択させる。
【００３７】
この実施形態の画像処理システムによれば、上記画像形成装置の表示部は、上記中断された第１の画像および第２の画像を、アイコンとして、表示し、この表示されたアイコンを選択させるので、中断した複数の画像を簡単に選択できる。
【００３８】
また、一実施形態の画像処理システムでは、上記画像形成装置は、上記表示装置の電源が切られ、上記表示装置に現在表示している上記第１の画像の表示が中断されたとき、この中断された第１の画像を特定する情報を記憶する。
【００３９】
この実施形態の画像処理システムによれば、上記画像形成装置は、上記表示装置の電源が切られ、上記表示装置に現在表示している上記第１の画像の表示が中断されたとき、この中断された第１の画像を特定する情報を記憶するので、例えば、プレゼンテーション中、表示装置の電源を一旦切って、現在表示の第１の画像の表示を中断した後、プレゼンテーションを再開するとき、中断された第１の画像に、手間をかけず素早く戻ることができる。
【００４０】
また、一実施形態の画像処理システムでは、上記画像形成装置は、上記表示装置の電源が再び入れられたとき、上記中断された第１の画像を上記表示装置に表示させる。
【００４１】
この実施形態の画像処理システムによれば、上記画像形成装置は、上記表示装置の電源が再び入れられたとき、上記中断された第１の画像を上記表示装置に表示させるので、表示装置の電源を再び入れて、プレゼンテーションを再開するとき、中断された第１の画像を直ぐに再開できる。
【発明の効果】
【００４２】
この発明の画像処理システムによれば、上記画像形成装置は、上記表示装置に表示している上記第１の画像の表示が中断されたとき、この中断された第１の画像を特定する情報を記憶するので、現在表示されている第１の画像の表示を中断しても、その後、この中断された第１の画像を、手間をかけず素早く再表示できる。
【図面の簡単な説明】
【００４３】
【図１】本発明の画像処理システムの第１実施形態を示す簡略構成図である。
【図２】ＭＦＰの斜視図である。
【図３】ＭＦＰの構成要素を示すブロック図である。
【図４】画像処理システムの作用説明図である。
【図５】スクリーンに投影した投影画像Ａ（第１の画像）の概略図である。
【図６】スクリーンに投影した投影画像Ｂ（第２の画像）の概略図である。
【図７】投影が終了したときのスクリーンを示す概略図である。
【図８】スクリーンに投影した投影画像Ａ（第１の画像）の概略図である。
【図９】スクリーンに投影した投影画像Ｅ（第３の画像）の概略図である。
【図１０】投影が終了したときのスクリーンを示す概略図である。
【図１１】ＭＦＰの表示部の状態を示す概略図である。
【図１２】ＭＦＰの表示部の状態を示す概略図である。
【図１３】ＭＦＰの表示部の状態を示す概略図である。
【図１４】ＭＦＰの表示部の状態を示す概略図である。
【図１５Ａ】スキャンデータ（第２、第３の画像）を投影する場合を示すフローチャートである。
【図１５Ｂ】スキャンデータ（第２、第３の画像）を投影する場合を示すフローチャートである。
【図１５Ｃ】スキャンデータ（第２、第３の画像）を投影する場合を示すフローチャートである。
【図１５Ｄ】スキャンデータ（第２、第３の画像）を投影する場合を示すフローチャートである。
【図１６】本発明の画像処理システムの第２実施形態を示す簡略構成図である。
【図１７】ＭＦＰの表示部の状態を示す概略図である。
【図１８】ＭＦＰの表示部の状態を示す概略図である。
【図１９】ＭＦＰの表示部の状態を示す概略図である。
【図２０】ＭＦＰの表示部の状態を示す概略図である。
【図２１Ａ】スキャンデータ（第２、第３の画像）を投影する場合を示すフローチャートである。
【図２１Ｂ】スキャンデータ（第２、第３の画像）を投影する場合を示すフローチャートである。
【図２１Ｃ】スキャンデータ（第２、第３の画像）を投影する場合を示すフローチャートである。
【図２１Ｄ】スキャンデータ（第２、第３の画像）を投影する場合を示すフローチャートである。
【図２２】本発明の画像処理システムの第３実施形態を示すと共にＭＦＰの表示部の状態を示す概略図である。
【図２３】ＭＦＰの表示部の状態を示す概略図である。
【図２４】ＭＦＰの表示部の状態を示す概略図である。
【図２５】投影終了後にプリントする場合を示すフローチャートである。
【図２６】本発明の画像処理システムの第４実施形態を示すと共にＭＦＰの表示部の状態を示す概略図である。
【図２７Ａ】ＦＡＸ送信データをスキャンデータ（第２、第３の画像）として投影する場合を示すフローチャートである。
【図２７Ｂ】ＦＡＸ送信データをスキャンデータ（第２、第３の画像）として投影する場合を示すフローチャートである。
【図２７Ｃ】ＦＡＸ送信データをスキャンデータ（第２、第３の画像）として投影する場合を示すフローチャートである。
【図２７Ｄ】ＦＡＸ送信データをスキャンデータ（第２、第３の画像）として投影する場合を示すフローチャートである。
【図２８】本発明の画像処理システムの第５実施形態を示すと共にプロジェクタの電源が切られた場合を示すフローチャートである。
【発明を実施するための形態】
【００４４】
以下、この発明を図示の実施の形態により詳細に説明する。
【００４５】
（第１の実施形態）
図１は、この発明の画像処理システムの一実施形態である簡略構成図を示している。図１に示すように、この画像処理システムは、演算処理装置としての複数のＰＣ（パーソナルコンピュータ）２と、画像形成装置としてのＭＦＰ（Multifunction Peripheral：多機能画像形成装置）１と、表示装置としてのプロジェクタ３とを有する。ＭＦＰ１とＰＣ２とプロジェクタ３は、サーバ４とともに、ネットワークＮを介して、接続されている。
【００４６】
上記ＭＦＰ１と上記ＰＣ２とは、互いに、ネットワークＮを介して、画像のデータを授受する。上記プロジェクタ３は、ＭＦＰ１からネットワークＮを介して送信された画像を、スクリーンに投影する。
【００４７】
図２に示すように、上記ＭＦＰ１は、自動原稿搬送装置１１と原稿読み取り部１２と画像形成部１３と給紙部１４と操作パネル１５とを有する。自動原稿搬送装置１１は、紙の原稿を、自動的に搬送しつつスキャニングを行って、読み取る。原稿読み取り部１２は、紙の原稿を直接に読み取る。画像形成部１３は、紙に画像を形成する。給紙部１４は、画像形成部１３に紙を送る。操作パネル１５は、表示部１６と操作部１７とを有する。表示部１６は、液晶画面でタッチパネル式であり、操作部１７は、ボタン式である。
【００４８】
図３に示すように、上記ＭＦＰ１は、メイン回路２０を有する。このメイン回路２０は、ＣＰＵ２１と、ネットワークＩ／Ｆ部２２と、ＲＯＭ２３と、ＲＡＭ２４と、ＥＥＲＯＭ２５と、ＨＤＤ２６と、ファクシミリ部２７と、カードＩ／Ｆ２８とを有する。
【００４９】
上記ＣＰＵ２１は、ＭＦＰ１の構成要素の全てを制御する。上記ネットワークＩ／Ｆ部２２は、ネットワークＮに接続される。上記カードＩ／Ｆ２８は、フラッシュメモリ１８に接続される。
【００５０】
次に、上記画像処理システムをプレゼンテーションに用いる場合を説明する。図４に示すように、上記ＭＦＰ１は、ＢＯＸ内に、第１の画像としてのプレゼンデータを保持しており、上記ＰＣ２は、矢印Ｒ１に示すように、第１の画像をプロジェクタ３に転送して、第１の画像をプロジェクタ３に表示させるように、ＭＦＰ１に指示する。
【００５１】
上記ＭＦＰ１は、ＰＣ２の指示を受けて、矢印Ｒ２に示すように、第１の画像をプロジェクタ３に転送して、第１の画像をプロジェクタ３に表示させる。上記プロジェクタ３は、ＭＦＰ１の指示により、第１の画像をスクリーン５に投影する。上記第１の画像は、複数あり、この複数の第１の画像は、順番に、プロジェクタ３によって投影される。
【００５２】
なお、上記プロジェクタ３への投影について、ＰＣ２からプロジェクタ投影アプリを起動させて、ＭＦＰ１内のプロジェクタ投影ＢＯＸ内のファイルを開くことで、ＭＦＰ１がプロジェクタ３に投影させるようにしている。
【００５３】
上記第１の画像を投影している途中に第１の画像の表示を中断して、第２の画像としての紙の原稿Ｓを投影させたい場合、この原稿Ｓを、ＭＦＰ１（自動原稿搬送装置１１や原稿読み取り部１２）のスキャニングによって、ＭＦＰ１に取り込む。ここで、画像の表示の中断とは、その画像の表示を一旦終了し、再度その画像を表示することをいう。
【００５４】
上記ＭＦＰ１は、取り込んだ第２の画像を、矢印Ｒ３に示すように、プロジェクタ３に表示させる。つまり、ＭＦＰ１は、このＭＦＰ１に送られた第２の画像をプロジェクタ３に表示させるとき、プロジェクタ３に現在表示している第１の画像の表示を中断して、第２の画像をプロジェクタ３に表示させる。
【００５５】
上記ＭＦＰ１は、プロジェクタ３に現在表示している第１の画像の表示が中断されたとき、この中断された第１の画像を特定する情報（ページ数）を記憶する。ＭＦＰ１は、現在表示の第１の画像から第２の画像に表示を切り換えるときをトリガーとして、現在表示の第１の画像を特定する情報を記憶する。
【００５６】
上記ＭＦＰ１は、第２の画像の表示を終了するとき、矢印Ｒ４に示すように、中断された第１の画像をプロジェクタ３に表示させる。
【００５７】
次に、上記ＭＦＰ１から上記プロジェクタ３に送信される画像について説明する。図５に示すように、ＭＦＰ１の第１の画像をプロジェクタ３によってスクリーン５に投影している。この場合、第１の画像としての投影画像Ａは、８枚あり、１ページ目の投影画像Ａから順次投影してプレゼンテーションを行い、３ページ目の投影画像Ａまでがすでに投影終了となり、４ページ目の投影画像Ａを現在投影中である。
【００５８】
そして、図６に示すように、第２の画像としての投影画像ＢをＭＦＰ１にスキャンして、投影画像Ａから投影画像Ｂに切り替える。投影画像Ｂは、３枚あり、１ページ目の投影画像Ｂを投影している。なお、図中、分かりやすくするために、投影画像Ｂをハッチングにて示しています。
【００５９】
図７に示すように、３ページ目の投影画像Ｂが終了した後、ＭＦＰ１は、中断した４ページ目の投影画像Ａのファイル名をキーとして、スクリーン５に表示し、ポインタ７で、スクリーン５に表示されるキーを選択し、ポインタ７の動きを、ＭＦＰ１に取り付けられたカメラ６で検出する。図７では、中断した投影画像Ａのファイル名を「中断Ａ（４/８）」として、スクリーン５に表示している。スクリーン５上でのキーのポインタ７による選択は、例えば特開平１１−２１２７２４号公報に示すように、スクリーン５上のポインタ７の動きをカメラ６にて読み取って、このカメラ６の位置情報に基づいて判断される。
【００６０】
そして、スクリーン５に表示されるキーを選択することで、図８に示すように、ＭＦＰ１は、中断した４ページ目の投影画像Ａを、スクリーン５に表示する。
【００６１】
なお、図７では、中断した投影画像Ａのキーを表示させているが、中断した投影画像Ａが１つしかない場合は、図７ではなく、図８へと戻るようにしてもよい。
【００６２】
なお、図９に示すように、第２の画像としての投影画像Ｂをスクリーン５に投影している場合に、２ページ目の投影画像Ｂを中断して、第３の画像としての投影画像Ｅを投影させるようにしてもよい。つまり、上記ＭＦＰ１は、このＭＦＰ１に送られた第３の画像をプロジェクタ３に表示させるとき、プロジェクタ３に現在表示している第２の画像の表示を中断して、この中断された第２の画像を特定する情報を記憶すると共に第３の画像をプロジェクタ３に表示させる。
【００６３】
そして、中断された画像は複数あるので、投影画像Ｅの投影終了後、図１０に示すように、複数の中断された画像のファイル名を、キーとして、スクリーン５に表示させ、このキーをポインタ７で選択させ、ポインタ７の動きをカメラ６で読み取って、ＭＦＰ１が、選択された画像をプロジェクタ３に表示させる。図１０では、中断した投影画像Ａのファイル名を「中断Ａ（４/８）」とし、中断した投影画像Ｂのファイル名を「中断Ｂ（２/３）」として、スクリーン５に表示している。
【００６４】
つまり、上記ＭＦＰ１は、この第３の画像の表示を終了するとき、中断された第１の画像および第２の画像を選択させて、この選択された画像をプロジェクタ３に表示させる。ＭＦＰ１は、中断された第１の画像および第２の画像を、アイコンとして、プロジェクタ３に表示させ、この表示されたアイコンを選択させる。
【００６５】
次に、上記ＭＦＰ１で原稿をスキャンする場合のＭＦＰ１の表示部１６の状態を説明する。図１１に示すように、投影画像Ａをスクリーン５に投影中に中断して、スキャンした原稿の画像を入力する場合、プロジェクタ投影中のＢＯＸ内の投影画像Ａを選択し、スキャンデータ追加キーを押す。すると、図１２に示すように、現在投影している投影画像Ａを、表示部１６にプレビュー表示する。スキャンした画像を追加する場合、ＯＫキーを押すことで、スキャンした画像をプロジェクタ３に投影すると同時に、表示部１６にも表示させる。なお、図中、分かりやすくするために、操作したキーをハッチングにて示しています。
【００６６】
現在投影中の投影画像Ａ（４／８ページ）より後のページに、スキャンした画像を投影する場合、図１２に示す追加ページキーを押すことで、図１３に示す画面となり、さらに、図１３に示す追加ページキーを押すことで、希望のページにスキャン原稿のデータを挿入する。
【００６７】
つまり、上記ＭＦＰ１は、このＭＦＰ１に送られた第２の画像を、複数の第１の画像のどの場所に挿入して表示させるかを選択させる。上記表示部１６は、複数の第１の画像を表示し、第２の画像を、複数の第１の画像のどの場所に挿入して表示させるかを選択させる。
【００６８】
なお、図１４は、スキャンデータ追加キーと同時に配信キーも選択した場合の画面である。図１４にて、ＯＫキーを押すことで、図１２の画面に切り替わる。その後、スキャンが開始されると同時に、あらかじめ設定されたＰＣ２に画像が配信される。
【００６９】
なお、図９に示す場合において、表示部１６に、中断された第１の画像および第２の画像を、アイコンとして、表示させ、この表示されたアイコンを選択するようにしてもよい。
【００７０】
次に、上記構成の画像処理システムのフローを説明する。図１５Ａ〜図１５Ｄに示すように、ＭＦＰ１が保持するプロジェクタ投影ＢＯＸ内のデータ（第１の画像）を選択し（ステップＳ１）、スキャンデータ（第２の画像）を追加するか否かを判断する（ステップＳ２）。追加しない場合は、終了し、追加する場合は、プロジェクタ３にてデータ（第１の画像）を投影中か否かを判断する（ステップＳ３）。投影中でない場合は、スキャンデータを追加するページを選択し（ステップＳ１０）、そのページをＭＦＰ１が記憶し（ステップＳ１１）、スキャンデータである原稿をスキャンし（ステップＳ１２）、スキャンデータをＰＣ２に配信し（ステップＳ１３）、スキャンデータをＭＦＰ１のプロジェクタ投影ＢＯＸに保存し（ステップＳ１４）、ステップＳ２に戻る。
【００７１】
ステップＳ３で、投影中であると判断した場合は、投影中の現在のページ（第１の画像）に、スキャンデータを投影するか否かを判断する（ステップＳ４）。投影しないと判断すると、投影中の現在のページ以降にスキャンデータを追加するページを選択し（ステップＳ１５）、そのページをＭＦＰ１が記憶し（ステップＳ１６）、スキャンデータである原稿をスキャンし（ステップＳ１７）、スキャンデータをＰＣ２に配信し（ステップＳ１８）、投影中のデータがスキャンデータを追加するページになってから（ステップＳ１９）、次のステップＳ８に進む。
【００７２】
ステップＳ４で、投影していると判断すると、スキャンデータである原稿をスキャンし（ステップＳ５）、スキャンデータをＰＣ２に配信し（ステップＳ６）、投影中の現在のデータ（第１の画像）を特定する情報（ページ数）をＭＦＰ１が記憶し（ステップＳ７）、スキャンデータを投影し（ステップＳ８）、スキャンデータ（第３の画像）をさらに追加するか否かを判断する（ステップＳ９）。追加すると判断すると、ステップＳ４に戻る。
【００７３】
ステップＳ９で、追加しないと判断すると、スキャンデータの投影が完了してから（ステップＳ２０）、中断した元データ（第１の画像）を選択し（ステップＳ２１）、選択した元データの記憶したページをＭＦＰ１がプロジェクタ３に投影し（ステップＳ２２）、この投影が終了すると（ステップＳ２３）、中断した元データが他にあるか否かを判断し（ステップＳ２４）、他にある場合は、ステップＳ２１に戻り、他にない場合は、終了する。
【００７４】
上記構成の画像処理システムによれば、上記ＭＦＰ１は、上記プロジェクタ３に表示している上記第１の画像の表示が中断されたとき、この中断された第１の画像を特定する情報（ページ数）を記憶するので、例えば、プレゼンテーション中、現在表示されている第１の画像の表示を中断して、第２の画像を割り込ませて表示する場合、中断された第１の画像を特定する情報は、ＭＦＰ１に記憶される。そして、第２の画像の表示を終了した後、中断された第１の画像に、手間をかけず素早く戻ることができる。
【００７５】
また、プレゼンテーションを時間切れで中断する場合、現在表示され中断される第１の画像を特定する情報は、ＭＦＰ１に記憶される。そして、別の場所または別の時間に、プレゼンテーションを再開するとき、中断された第１の画像に、手間をかけず素早く戻ることができる。
【００７６】
したがって、現在表示されている第１の画像の表示を中断しても、その後、この中断された第１の画像を、手間をかけず素早く再表示できる。
【００７７】
上記構成の画像処理システムによれば、上記ＭＦＰ１は、このＭＦＰ１に送られた第２の画像を上記プロジェクタ３に表示させるとき、上記プロジェクタ３に表示している上記第１の画像の表示を中断して、上記第２の画像を上記プロジェクタ３に表示させるので、例えば、プレゼンテーション中、現在表示されている第１の画像の表示を中断して、第２の画像を割り込ませて表示できる。
【００７８】
上記構成の画像処理システムによれば、上記第２の画像は、スキャニングによって、上記ＭＦＰ１に取り込まれるので、容易に第２の画像を表示できる。
【００７９】
上記構成の画像処理システムによれば、上記ＭＦＰ１は、上記第２の画像の表示を終了するとき、上記中断された第１の画像を上記プロジェクタ３に表示させるので、第２の画像の表示の終了時に、それまでに表示された元の第１の画像に復帰できる。
【００８０】
上記構成の画像処理システムによれば、上記ＭＦＰ１は、現在表示の上記第１の画像から上記第２の画像に表示を切り換えるときをトリガーとして、上記現在表示の第１の画像を特定する情報を記憶するので、第１の画像の記憶のタイミングがよい。
【００８１】
上記構成の画像処理システムによれば、上記ＭＦＰ１は、このＭＦＰ１に送られた上記第２の画像を、上記複数の第１の画像のどの場所に挿入して表示させるかを選択させるので、第２の画像の表示の順番を調整できる。
【００８２】
上記構成の画像処理システムによれば、上記ＭＦＰ１の表示部は、上記複数の第１の画像を表示し、上記第２の画像を、上記複数の第１の画像のどの場所に挿入して表示させるかを選択させるので、第２の画像の表示の順番を簡単に調整できる。
【００８３】
上記構成の画像処理システムによれば、上記ＭＦＰ１は、上記第３の画像の表示を終了するとき、上記中断された第１の画像および第２の画像を選択させて、この選択された画像を上記プロジェクタ３に表示させるので、中断した複数の画像を選択できる。
【００８４】
上記構成の画像処理システムによれば、上記ＭＦＰ１は、上記中断された第１の画像および第２の画像を、アイコンとして、上記プロジェクタ３に表示させ、この表示されたアイコンを選択させるので、中断した複数の画像を簡単に選択できる。
【００８５】
上記構成の画像処理システムによれば、上記ＭＦＰ１の表示部は、上記中断された第１の画像および第２の画像を、アイコンとして、表示し、この表示されたアイコンを選択させるので、中断した複数の画像を簡単に選択できる。
【００８６】
なお、上記第２の画像を、ＭＦＰ１のスキャニングでなく、ＭＦＰ１のファクシミリによって、ＭＦＰ１に送る（取り込む）ようにしてもよく、容易に第２の画像を表示できる。
【００８７】
（第２の実施形態）
図１６は、この発明の画像処理システムの第２の実施形態を示している。上記第１の実施形態（図４）と相違する点を説明すると、この第２の実施形態では、図１６に示すように、ＭＦＰ１は、取り込んだ第２の画像（原稿Ｓ）を、矢印Ｒ３に示すように、プロジェクタ３に表示させると同時に、ＰＣ２に配信する。なお、その他の構造は、上記第１の実施形態と同じであるため、その説明を省略する。
【００８８】
つまり、上記ＭＦＰ１は、このＭＦＰ１に第２の画像が送られたとき、第２の画像をプロジェクタ３に表示させると共に、第２の画像のＰＣ２への送信を行う。
【００８９】
次に、投影前に、上記ＭＦＰ１で原稿をスキャンしてＭＦＰ１内のデータに追加する場合のＭＦＰ１の表示部１６の状態を説明する。図１７に示すように、ＭＦＰ１の投影ＢＯＸデータ内のファイル（第１の画像）で、スキャンデータ（第２の画像）を追加したいファイルを選択し、スキャンデータ追加キーを押す。
【００９０】
次に、図１８に示すように、選択したファイルのデータをプレビュー表示させ、前ページキーや次ページキーを押すことで、スキャンデータを追加するページを決定する。ＯＫキーを押すことで、スキャンが開始され、スキャンデータが決定されたページに追加される。図１９に示すように、追加されたスキャンデータは、プレビュー表示にて、前ページキーや次ページキーを押すことで、事前に確認できる。
【００９１】
図２０は、スキャンデータ追加キーと同時に配信キーも選択した場合の画面である。図２０にて、ＯＫキーを押すことで、図１８の画面に切り替わる。その後、スキャンが開始されると同時に、あらかじめ設定されたＰＣ２に画像が配信される。
【００９２】
次に、上記構成の画像処理システムのフローを説明する。図２１Ａ〜図２１Ｄに示すように、上記第１の実施形態（図１５Ａ〜図１５Ｄ）と比べて、ステップＳ５とステップＳ６との間、ステップＳ１２とステップＳ１３との間、および、ステップＳ１７とステップＳ１８との間に、同時配信するか否かを判断する工程（ステップＳ２５、ステップＳ２６、ステップＳ２７）が追加されている。
【００９３】
つまり、ステップＳ２５において、同時配信するか否かを判断し、同時配信すると判断すると、ステップＳ６に進み、同時配信しないと判断すると、ステップＳ７に進む。なお、ステップＳ２６、ステップＳ２７についても、同様であるので、説明を省略する。
【００９４】
上記構成の画像処理システムによれば、上記ＭＦＰ１は、このＭＦＰ１に上記第２の画像が送られたとき、上記第２の画像を上記プロジェクタ３に表示させると共に、上記第２の画像の上記ＰＣ２への送信を行うので、プレゼンテーションを円滑に進めることができる。
【００９５】
（第３の実施形態）
図２２は、この発明の画像処理システムの第３の実施形態を示している。上記第１の実施形態と相違する点を説明すると、この第３の実施形態では、図２２に示すように、ＭＦＰ１は、投影プリント機能を有する。なお、その他の構造は、上記第１の実施形態と同じであるため、その説明を省略する。
【００９６】
つまり、ＭＦＰ１は、全ての画像の表示を終了したとき、第２の画像（スキャンデータ）および中断された第１の画像をファイルとして保持する。ＭＦＰ１は、ファイルを印刷するとき、第１の画像のみを印刷するか、第１の画像および第２の画像を印刷するかを、選択させる。
【００９７】
次に、プレゼンテーション終了後、画像をプリントする場合のＭＦＰ１の表示部１６の状態を説明する。図２２に示すように、投影プリントキーを選択し、投影画像Ａファイルを選択すると、図２３に示すように、最初のファイルである投影画像Ａ（全８ページ），紙原稿のスキャンデータを追加した投影画像ＡＡ（全１１ページ）、紙原稿のスキャンデータのみの投影画像Ｂ（全３ページ）のキーが選択できる。投影画像Ａは、第１の画像であり、投影画像ＡＡは、第１の画像と第２の画像であり、投影画像Ｂは、第２の画像である。
【００９８】
なお、投影画像ＡＡキーを選択した場合は、投影画像ＡＡファイルがあるわけではなく、実際にプリント時は、投影画像Ａと投影画像Ｂとを、プリント時に、ＭＦＰ１が順序対応してプリントを行う。
【００９９】
また、ＭＦＰ１のＢＯＸに保存したい場合は、図２２にてファイル名を選択し、ＢＯＸ保存キーを押すことで、図２４に示すように、追加された投影画像ＡＡファイル、投影画像Ｂファイルが、ＢＯＸに、保存される。
【０１００】
次に、上記構成の画像処理システムのフローを説明する。図２５に示すように、３通りのプリントファイルの何れか一つを選択する（ステップＳ１）。
【０１０１】
一つ目では、元ファイル（投影画像Ａ）を選択し（ステップＳ２）、元ファイル（１〜８ページの投影画像Ａ）を印刷する（ステップＳ３）。
【０１０２】
二つ目では、元ファイルとスキャンしたファイル（投影画像ＡＡ）を選択し（ステップＳ４）、中断したページまでの元ファイル（１〜３ページの投影画像Ａ）を印刷し（ステップＳ５）、スキャンしたファイル（１〜３ページの投影画像Ｂ）を印刷し（ステップＳ６）、中断後のページ以降の元ファイル（４〜８ページの投影画像Ａ）を印刷する（ステップＳ７）。
【０１０３】
三つ目では、スキャンしたファイル（投影画像Ｂ）を選択し（ステップＳ８）、スキャンしたファイル（１〜３ページの投影画像Ｂ）を印刷する（ステップＳ９）。
【０１０４】
上記構成の画像処理システムによれば、上記ＭＦＰ１は、全ての画像の表示を終了したとき、第２の画像および中断された第１の画像をファイルとして保持するので、いつでも画像を確認できる。また、ＭＦＰ１は、ファイルを印刷するとき、第１の画像のみを印刷するか、第１の画像および第２の画像を印刷するかを、選択させるので、所望の画像を容易に印刷できる。
【０１０５】
（第４の実施形態）
図２６は、この発明の画像処理システムの第４の実施形態を示している。上記第１の実施形態と相違する点を説明すると、この第４の実施形態では、図２６に示すように、ＭＦＰ１は、ＦＡＸ送信機能を有する。なお、その他の構造は、上記第１の実施形態と同じであるため、その説明を省略する。
【０１０６】
つまり、ＦＡＸにて送信する画像を、スキャンデータ（第２の画像）として、図６に示すように、元データ（第１の画像）の途中に投影させたい場合、図２６に示すように、ＦＡＸ送信画面からＦＡＸ設定を行い、プロジェクタ投影キーを選択して、ＯＫキーを押すことで、図１２に示す表示となり、さらに、ＯＫキーを押すことで、スキャンデータを、ＦＡＸにて送信すると同時に、プロジェクタ３にて投影される。
【０１０７】
次に、上記構成の画像処理システムのフローを説明する。図２７Ａ〜図２７Ｄに示すように、上記第１の実施形態（図１５Ａ〜図１５Ｄ）と比べて、ステップＳ６とステップＳ７との間、および、ステップＳ１８とステップＳ１９との間に、スキャンデータをＦＡＸにて送信する工程（ステップＳ２８、ステップＳ２９）が追加されている。また、ステップＳ２において、ＦＡＸ送信データをスキャンデータ（第２の画像）として追加するか否かを判断している。
【０１０８】
（第５の実施形態）
図２８は、この発明の画像処理システムの第５の実施形態を示している。上記第１の実施形態と相違する点を説明すると、この第５の実施形態では、ＭＦＰ１は、プロジェクタ３の電源が切られ、プロジェクタ３に現在表示している第１の画像の表示が中断されたとき、この中断された第１の画像を特定する情報（ページ数）を記憶する。そして、ＭＦＰ１は、プロジェクタ３の電源が再び入れられたとき、中断された第１の画像をプロジェクタ３に表示させる。なお、その他の構造は、上記第１の実施形態と同じであるため、その説明を省略する。
【０１０９】
次に、上記構成の画像処理システムのフローを説明する。図２８に示すように、プロジェクタ３による投影を開始し（ステップＳ１）、ＭＦＰ１は、第１の画像をプロジェクタ３に配信する（ステップＳ２）。プロジェクタ３の電源が切られて、第１の画像をプロジェクタ３に配信できなくなったとき（ステップＳ３）、ＭＦＰ１に、ユニキャストを介して、プロジェクタ３からの応答がなくなり（ステップＳ４）、ＭＦＰ１は、中断された第１の画像を特定する情報（ページ数）を記憶する（ステップＳ５）。
【０１１０】
再びプロジェクタ３に電源が入れられ、ＭＦＰ１は、プロジェクタ３からの応答を確認し（ステップＳ６）、プロジェクタ３からの応答があると（ステップＳ７）、中断したデータファイルをキーとしてスクリーン５に表示し（ステップＳ８）、そのキーを、ポインタ７または操作パネル１５（表示部１６）で、選択することで（ステップＳ９）、中断した途中の第１の画像をプロジェクタ３に投影する（ステップＳ１０）。
【０１１１】
上記構成の画像処理システムによれば、ＭＦＰ１は、プロジェクタ３の電源が切られ、プロジェクタ３に現在表示している第１の画像の表示が中断されたとき、この中断された第１の画像を特定する情報を記憶するので、例えば、プレゼンテーション中、プロジェクタ３の電源を一旦切って、現在表示の第１の画像の表示を中断した後、プレゼンテーションを再開するとき、中断された第１の画像に、手間をかけず素早く戻ることができる。
【０１１２】
また、ＭＦＰ１は、プロジェクタ３の電源が再び入れられたとき、中断された第１の画像をプロジェクタ３に表示させるので、プロジェクタ３の電源を再び入れて、プレゼンテーションを再開するとき、中断された第１の画像を直ぐに再開できる。
【０１１３】
なお、この発明は上述の実施形態に限定されない。例えば、上記第１〜上記第５の実施形態のそれぞれの特徴点を、様々に組み合わせてもよい。また、上記ＭＦＰ１、上記ＰＣ２および上記プロジェクタ３の数量の増減は、自由である。また、上記画像形成装置として、ＭＦＰ１の代わりに、通常の画像形成装置を用いてもよく、上記表示装置として、プロジェクタ３の代わりに、テレビを用いてもよい。
【０１１４】
また、中断された画像を特定する情報とは、ページ数以外に、その画像に付けられたマークであってもよく、そのマークを読み取るようにしてもよい。また、第１から第３の画像にさらに複数の画像を加え、中断される画像を増加してもよい。
【０１１５】
また、ＭＦＰ１は、このＭＦＰ１に第２の画像が送られたとき、第２の画像をプロジェクタ３に表示させると共に、第２の画像の印刷、および、第２の画像のＰＣ２への送信の少なくとも一方を行うようにしてもよく、プレゼンテーションを円滑に進めることができる。
【符号の説明】
【０１１６】
１  ＭＦＰ（画像形成装置）
２  ＰＣ（演算処理装置）
３  プロジェクタ（表示装置）
４  サーバ
５  スクリーン（表示装置）
６  カメラ
７  ポインタ
Ｎ  ネットワーク
【図１】
2011039658.tif 000003
【図２】
2011039658.tif 000004
【図３】
2011039658.tif 000005
【図４】
2011039658.tif 000006
【図５】
2011039658.tif 000007
【図６】
2011039658.tif 000008
【図７】
2011039658.tif 000009
【図８】
2011039658.tif 000010
【図９】
2011039658.tif 000011
【図１０】
2011039658.tif 000012
【図１１】
2011039658.tif 000013
【図１２】
2011039658.tif 000014
【図１３】
2011039658.tif 000015
【図１４】
2011039658.tif 000016
【図１５Ａ】
2011039658.tif 000017
【図１５Ｂ】
2011039658.tif 000018
【図１５Ｃ】
2011039658.tif 000019
【図１５Ｄ】
2011039658.tif 000020
【図１６】
2011039658.tif 000021
【図１７】
2011039658.tif 000022
【図１８】
2011039658.tif 000023
【図１９】
2011039658.tif 000024
【図２０】
2011039658.tif 000025
【図２１Ａ】
2011039658.tif 000026
【図２１Ｂ】
2011039658.tif 000027
【図２１Ｃ】
2011039658.tif 000028
【図２１Ｄ】
2011039658.tif 000029
【図２２】
2011039658.tif 000030
【図２３】
2011039658.tif 000031
【図２４】
2011039658.tif 000032
【図２５】
2011039658.tif 000033
【図２６】
2011039658.tif 000034
【図２７Ａ】
2011039658.tif 000035
【図２７Ｂ】
2011039658.tif 000036
【図２７Ｃ】
2011039658.tif 000037
【図２７Ｄ】
2011039658.tif 000038
【図２８】
2011039658.tif 000039